(57)【要約】【課題】分析データ管理のセキュリティ性を高める。【解決手段】ライセンスキーが埋め込まれたキー格納手段に認証キーを埋め込んでおく。キー格納手段はユーザ毎に設けられ、持ち運び可能なドングルや、所定のデータ保存領域とする。他方、分析条件や分析結果といった分析データは予めロックキーによってロックしておき、このロックキーとキー格納手段に埋め込まれている認証キーとが相応することが確認されなければ分析データを使用することができないようにする。適切な認証キーが埋め込まれたキー格納手段を有するユーザ以外は分析データを使用することができないため、万一分析データが漏洩したとしても分析データの機密性は保持される。複数の認証キーのそれぞれについて分析データに対する権限を対応させた権限定義部を設けておくことにより、ユーザのレベルに対応した権限を与えることも可能である。【選択図】図３
2008140091.tif 000002
【特許請求の範囲】
【請求項１】
分析に関するデータであって、所定のロックキーによってロックされた一又は複数の分析データを管理するための分析データ管理システムにおいて、
ユーザ毎に設けられ、該システムに対するライセンスキー及び前記分析データのロックを解除するための認証キーが埋め込まれたキー格納手段と、
前記キー格納手段に埋め込まれている前記ライセンスキー及び／又は認証キーを読み出す際に、所定のキー読出認証を要求するキー読出認証手段と、
前記キー読出認証手段によるキー読出認証が完了した状態において、分析データ使用要求が入力されたことに基づき、又は所定のタイミングで前記キー格納手段より認証キーを読み取り、該認証キーと分析データに設定されたロックキーとが相応する場合に、該分析データを使用可能にする認証キー照合手段と、
を含んで成ることを特徴とする分析データ管理システム。
【請求項２】
複数の認証キーの各々に関し、分析データに対する権限が記憶されている権限定義部を更に有しており、
前記認証キー照合手段が、前記キー読出認証手段によるキー読出認証が完了した状態において前記キー格納手段より認証キーを読み取り、該認証キーと分析データに設定されたロックキーとが相応する場合に前記権限定義部に記載された該認証キーに対応する権限の範囲内で該分析データを使用可能にする
ことを特徴とする請求項１に記載の分析データ管理システム。
【請求項３】
前記認証キーに相応する所定のロックキーによって分析データをロックする分析データロック手段を更に備えたことを特徴とする請求項１又は２に記載の分析データ管理システム。
【請求項４】
前記キー格納手段が、持ち運び可能なドングルである請求項１〜３のいずれかに記載の分析データ管理システム。
【請求項５】
前記キー格納手段が、分析データ管理システムがアクセス可能なローカル又はネットワーク上のデータ保存領域である請求項１〜３のいずれかに記載の分析データ管理システム。
【請求項６】
分析に関するデータであって、所定のロックキーによってロックされた一又は複数の分析データを管理するための分析データ管理システムに利用するためのプログラムであって、
ユーザ毎に設けられ、該システムに対するライセンスキー及び前記分析データのロックを解除するための認証キーが埋め込まれたキー格納手段にアクセス可能なコンピュータを、
前記キー格納手段に埋め込まれている前記ライセンスキー及び／又は認証キーを読み出す際に、所定のキー読出認証を要求するキー読出認証手段と、
前記キー読出認証手段によるキー読出認証が完了した状態において前記キー格納手段より認証キーを読み取り、該認証キーと分析データに設定されたロックキーとが相応する場合に、該分析データを使用可能にする認証キー照合手段と、
して機能させることを特徴とする分析データ管理プログラム。
【発明の詳細な説明】
【技術分野】
【０００１】
本発明は、分析に関するデータを扱うシステムに関するものであり、詳細には、そのようなシステムにおいて扱う分析条件や分析結果といったデータ（本明細書ではこういったデータをまとめて「分析データ」と称する）のセキュリティ強化を図るためのシステムに関する。
【背景技術】
【０００２】
近年、食品、医薬品、化粧品等の信頼性を確保するために、FDA21 CFR Part 11（FDA: Food and Drug Administration、CFR: Code of Federal Regulations）と呼ばれる電子記録・電子署名規則が導入されている。このFDA21 CFR Part 11には厳しいデータセキュリティ基準が設けられており、不用意な或いは故意的なデータの改竄や消失を防止する対策が必要となる。この対策の一つとして、従来の分析機器では種々のレベルでのセキュリティ管理が施されており、例えば予め許可された管理者以外はユーザの登録や権限レベルの設定を行えないようになっている。
【０００３】
こうしたセキュリティ性を高める対策として現在広く一般に用いられているのが、ＯＳや特定のアプリケーションソフトウェアを起動するために、ユーザＩＤと共にパスワードを要求することである。これによれば、予め許可されたユーザＩＤを持つユーザが本人しか知らないパスワードを入力しない限り、コンピュータが動作しなかったり所望の機能が使用できなかったりして、高いセキュリティ性が確保される。
【０００４】
データセキュリティに関連した従来技術の例として特許文献１には、ＧＬＰ（Good Laboratory Practice）やＧＭＰ（Good Manufacturing Practice）で定められた製造管理及び品質管理に対応したセキュリティ機能を有する分析装置が記載されている。この分析装置では、オペレータ名と対応画面と禁止コマンドとを一単位としてアクセス権テーブルに登録しておく。コマンドが発行されると、コマンド奪取部がそのコマンドを横取りし、そのコマンドに対応するエントリがアクセス権テーブルに存在しない場合にのみ、そのコマンドが発行先に渡される。横取りされたコマンドによるアクセスが許可されていないと判断された場合には、そのコマンドは発行先のプログラムには渡されないため、実行されない。従って、分析条件や分析結果等へのデータのアクセス管理を適切に行うことができる。
【０００５】
従来技術の他の例として特許文献２に記載のものがある。これによれば、分析データのファイル管理をＩＤ及びパスワードの組合せによって行う機器分析用データ管理装置において、所定回数以上不一致が検出された場合には予め設定された内容の電子メールを所定の宛先に即座に送信し、その後の起動を禁止する構成が開示されている。これによって、システムへ不正に侵入しようとする試みに対して適切な対応を取ることができ、厳重なセキュリティ性を確保することができる。
【０００６】
【特許文献１】特開平7-319815号公報
【特許文献２】特開2002-334020号公報
【発明の開示】
【発明が解決しようとする課題】
【０００７】
しかし、従来一般の分析データ管理システムでは、ネットワークやメディアを介して分析データが漏洩してしまうと、又はデータが保存されたコンピュータ自体が盗難されることによって分析データが持ち出されてしまうと、第三者が同じアプリケーションソフトウェアを用いることによって機密情報（分析データ）の内容を見ることができてしまうという危険性があった。
【０００８】
本発明は上記の問題を解決するために成されたものであり、その目的とするところは、分析装置や計測装置に係る分析データを扱うシステムにおいて、従来一般のユーザＩＤ及びパスワードによるセキュリティよりも一層強固なデータセキュリティシステムを提供することにある。
【課題を解決するための手段】
【０００９】
上記のようにして成された本発明に係る分析データ管理システムは、
分析に関するデータであって、所定のロックキーによってロックされた一又は複数の分析データを管理するための分析データ管理システムにおいて、
ユーザ毎に設けられ、該システムに対するライセンスキー及び前記分析データのロックを解除するための認証キーが埋め込まれたキー格納手段と、
前記キー格納手段に埋め込まれている前記ライセンスキー及び／又は認証キーを読み出す際に、所定のキー読出認証を要求するキー読出認証手段と、
前記キー読出認証手段によるキー読出認証が完了した状態において、分析データ使用要求が入力されたことに基づき、又は所定のタイミングで前記キー格納手段より認証キーを読み取り、該認証キーと分析データに設定されたロックキーとが相応する場合に、該分析データを使用可能にする認証キー照合手段と、
を含んで成ることを特徴とする。
【００１０】
また、本発明に係る上記分析データ管理システムは好適には、
複数の認証キーの各々に関し、分析データに対する権限が記憶されている権限定義部を更に有しており、
前記認証キー照合手段が、前記キー読出認証手段によるキー読出認証が完了した状態において前記キー格納手段より認証キーを読み取り、該認証キーと分析データに設定されたロックキーとが相応する場合に前記権限定義部に記載された該認証キーに対応する権限の範囲内で該分析データを使用可能にする
構成とすることもできる。
【００１１】
本発明において、キー格納手段は持ち運び可能なドングルとすることができる。
【発明の効果】
【００１２】
本発明に係る分析データ管理システムでは、予めロックキーを用いて分析データをロックしておく。ロックを解除して分析データを閲覧したり編集したりする（本明細書ではこういった分析データに対して行う各種の作業のことを「分析データを使用する」という。）ためには、そのロックキーとキー格納手段に埋め込まれている認証キーとが相応しなければならない。これにより、ロックキーを解除するための認証キーを持つユーザ以外は、たとえ分析データのみを取得したとしても、その分析データを使用することができない。
【００１３】
また、キー格納手段には認証キーとともに本発明に係るシステムに対するライセンスキーが埋め込まれているから、従来一般に行われているライセンスキーの管理及び認証キーの管理を一体的に行うことができる。このことはとりわけ、キー格納手段が持ち運び可能なドングルであるような場合に、その物理的な管理が容易になるという効果をもたらす。
【００１４】
分析データを使用するために認証キーを読み出す際には、キー読出認証手段によって所定のキー読出認証が要求されるので、このキー読出認証を適切に行わない限り分析データを使用することができない。
従来は、分析データの盗難を防止するためにコンピュータに施錠をしたり、コンピュータ保管庫の設置といったものが必要となったりする場合があったが、本発明に係る分析データ管理システムを利用することにより、分析データを守るために従来必要であった負担が軽減される。つまり低廉なコストで分析データの確実な保護を図ることが可能となる。
【００１５】
また、複数の認証キーの各々に関し、分析データに対する権限が記憶されている権限定義部を更に有し、認証キー照合手段が、権限定義部に記載された認証キーに対応する権限の範囲内で分析データを使用可能にする構成とすることにより、複数のユーザがシステムを使用する場合に、分析データ使用権限の制御をユーザ別に柔軟に行うことが可能となる。
【発明を実施するための最良の形態】
【００１６】
以下、本発明に係る分析データ管理システムの実施形態について、図面を参照して説明する。図１は本発明に係る分析データ管理システムを含む、ネットワークを利用した分析システム１の一例を示す全体構成図、図２は本実施形態の分析データ管理システムの機能的構成を示すブロック図である。
【００１７】
本実施形態の分析システム１は、ＬＡＮなどのネットワークＮＷに接続された分析装置Ａ−１〜Ａ−４、分析制御サーバＡＳ−１〜ＡＳ−３、分析装置に対する分析指示及び分析結果表示を行うためのクライアントである複数のコンピュータ（パソコン）ＰＣ−１〜ＰＣ−３、システム全体の制御を行うためのシステム制御サーバＳＳ、分析が完了した分析データを保存するためのデータベースサーバＤＳを含んでいる。
なお、分析装置Ａ−１〜Ａ−４は、種々の分析装置や計測装置とすることができ、その種類は問わない。また、本実施例では分析装置、分析制御サーバ、パソコン、システム制御サーバ、データベースサーバがそれぞれネットワークＮＷを介して接続されているものとしているが、ネットワークＮＷに接続される機器は本実施例にて示すものに限定されることはなく、各種のものを接続することがもちろん可能である。また、ネットワークＮＷに接続される各機器の接続台数も当然限定されるものではない。
【００１８】
データベースサーバＤＳには、各分析装置Ａ−１〜Ａ−４で取得された分析データがファイル共有できるようにデータベース化されて蓄積される。クライアントがこのデータベースを利用するためには、そのコンピュータに分析データ管理プログラム（ソフトウェア）を導入しておく必要があり、この分析データ管理プログラム上でデータベースのファイルの読み出し、書き込みのほか、各種の処理が可能となる。もちろん、データベースサーバＤＳからも同様の作業が行えるのは言うまでもない。
【００１９】
ここでは、データベースサーバＤＳ、およびコンピュータＰＣ−１〜ＰＣ−３がそれぞれ図２に示すような分析データ管理システムである。すなわち、分析データ管理プログラムがインストールされたコンピュータである。これらは、図２に示すように、ＣＰＵ２、メモリ３、液晶ディスプレイなどの表示部４、キーボードやマウスから成る入力部５、ハードディスクやフラッシュメモリから成る大容量記憶媒体である記憶部６が相互に接続されて構成されている。記憶部６には、分析データ管理プログラム７やＯＳ８が記憶されている。
【００２０】
本発明に係る分析データ管理システムには、キー格納手段９が含まれる。キー格納手段９には、該システムのソフトウェア使用ライセンスキー及び認証キーが埋め込まれている。「埋め込まれている」とは、通常の使用形態ではデータ読出のみが行えるようにソフトウェア的又はハードウェア的に制御されているという意味である。
【００２１】
本発明においてキー格納手段９は、ユーザによって持ち運び可能なドングルとすることができる。ドングルとは認証キー等のデータを埋め込むことが可能な媒体のことであり、ユーザが容易に持ち運ぶことができる程度のサイズや重量から成る着脱自在のハードウェアである。ただし、その形態は特に限定されるものではない。ここで着脱自在とは、本発明に係る分析データ管理システムが、ＵＳＢや非接触読取装置等のインターフェースを介してドングルにアクセスし、ドングルから予め埋め込まれているライセンスキーや認証キーを読み出すことが可能であるということである。
【００２２】
また、キー格納手段９は、本発明に係る分析データ管理システムがアクセス可能なローカル又はネットワーク上のデータ保存領域とすることもできる。この形態の場合には、後述するように、キー格納手段９に埋め込まれているライセンスキー及び認証キーは、所定の認証を経ない限り通常は読み出すことが不可となるように構成する。これにより、ライセンスキーや認証キーの漏洩を防止することができる。
【００２３】
キー格納手段９は一システムに対して一つである必要はなく、システムを利用するユーザ毎に設けることができる。この場合、ある一つのシステムに用いられるキー格納手段９には全て共通のライセンスキー及び共通の認証キーを予め埋め込んでおく。又は、認証キーにユーザＩＤを含めておいても良い。更にまた、認証キーに加えて、各キー格納手段９に異なるＩＤを更に付与したり、あるグループのキー格納手段９には同一のＩＤを付与したり（グループ毎に異なるＩＤを付与する）することもできる。
【００２４】
本発明において、分析装置から出力される分析データは所定のロックキーによってロックされる。なお、分析データをロックする方法は特に問わず、ロックキーを用いて分析データを暗号化してもよい。ロックされた状態の分析データは使用することができない。このロックを解除するためには、認証キーとロックキーとが相応する必要がある。相応するとは、所定の演算を行うこと等によって予め定められた条件に合致するという意味である。従って、認証キーとロックキーは同一である必要はない。また、認証キーやロックキーを複数種類用いても構わない。
【００２５】
キー読出認証手段（実際にはＣＰＵ２が分析データ管理プログラム７を実行することにより実現される機能）は、キー格納手段９に埋め込まれているライセンスキー及び／又は認証キーを読み出す際に、自由にライセンスキーや認証キーの読み出しが行われるのを防止するためにキー読出認証を要求する。ライセンスキーや認証キーが自由に読み出されてしまうならば、システムを開始すると直ちに分析データが使用できるようになり、その保護が十分ではないためである。キー読出認証は、例えばパスワードの入力によるものであってもよい。この場合、定められたパスワードを知るユーザでなければ分析データを使用することができない。
【００２６】
また、キー格納手段９としてドングルを用いる場合には、ドングルの接続確認をもってキー読出認証としてもよい。この場合、ドングルの所有者であるユーザがドングルをシステムに接続しなければ分析データを使用することができない。
【実施例１】
【００２７】
以下、あるユーザがコンピュータＰＣ−１を用いてデータベースサーバＤＳに保存されている分析データを使用しようとした場合に、ＣＰＵ２が分析データ管理プログラム７（以下、単にプログラムとも言う）を実行することによる処理の手順を図４に示すフローチャート、並びに図３に示す本発明に係る分析データ管理システムの動作概念図を参照しつつ説明する。本実施例では、キー格納手段９としてコンピュータＰＣ−１のＵＳＢポートを介してシステムと接続可能なドングルが使用されるものとする。
なお、本発明においてキー読出認証手段及び認証キー照合手段は、ＣＰＵ２が分析データ管理プログラム７を実行することによってソフトウェア的に実現される構成である。
【００２８】
まず、分析データを使用する前段階で実行される、分析データ管理プログラム７の起動及びユーザの認証について説明する。ユーザが入力部５を操作することによって分析データ管理プログラム７を起動させると、ＣＰＵ２は、利用者確認のためにユーザＩＤ及びパスワードの入力を要求するダイアログを表示部４に表示させる。ユーザによって入力されたユーザＩＤ及びパスワードが有効なものであることの認証が完了すると、ＣＰＵ２は、所定のＵＳＢポートにドングルが接続されているか否かを確認する（キー読出認証）。ドングルが接続されていない場合には、ＣＰＵ２は表示部４に、ドングルが接続されていない旨のメッセージを表示させる。ドングルが接続されている場合は、ＣＰＵ２はドングルに埋め込まれているライセンスキーを読み出し、それが本プログラム７に関して予め定められているライセンスキーであるか否かを確認する。ライセンスキーの認証に失敗すると、ＣＰＵ２はその旨を表示部４に表示させ、プログラム７を終了したり、有効なライセンスキーが埋め込まれたドングルが接続されるまでユーザからの入力を受け付けなくしたりする。ライセンスキーの認証が完了すると、ＣＰＵ２は表示部４に所定の画面を表示させ、ユーザからの各種の入力や命令を受け付け可能な待機状態であることを示す。
【００２９】
次に、ユーザが入力部５を操作することによって或る分析データの使用要求を入力すると（ステップＳ１１）、ＣＰＵ２（キー読出認証手段）はドングルが接続されているか否かを確認する（キー読出認証）。なお、上述したライセンスキーの認証が常時行われる（つまり、ドングル９が接続されている間のみ本発明に係るプログラム７を使用可能とする）構成の場合には、分析データの使用要求が入力された時に改めてドングルの接続確認を行う必要はない。ドングル９が接続されていない場合（ステップＳ１２のNo）、図３(a)に示すように、ＣＰＵ２は該分析データ使用要求を不許可とし、表示部４に所定のメッセージを表示する。
【００３０】
ステップＳ２２においてドングル９が接続されている場合（ステップＳ１２のYes）、キー読出認証手段によるキー読出認証が完了したものとし、図３(b)に示すように、ＣＰＵ２はドングルに埋め込まれた認証キーを読み出す（ステップＳ１３）。また、ＣＰＵ２は分析データ使用要求にて指定されている、使用の対象となる分析データに埋め込まれているロックキーを読み出す（ステップＳ１４）。なお、ステップＳ１３とステップＳ１４の実行順序は問わない。
【００３１】
次に、ＣＰＵ２（認証キー照合手段）はドングルから読み出した認証キーと、分析データに設定されているロックキーとを照らし合わせ、両者が相応するかどうかを確認する（ステップＳ１５）。認証キーとロックキーとが相応しない場合（ステップＳ１５のNo）、ＣＰＵ２は該分析データ使用要求を不許可とし、表示部４に所定のメッセージを表示する。
【００３２】
認証キーとロックキーとが相応する場合（ステップＳ１５のYes）、ＣＰＵ２は入力部５から入力された分析データ使用要求を許可する（ステップＳ１６）。これにより、ユーザは分析データを使用することが可能となる（図３(c)参照）。
【００３３】
本実施例に限らず、本発明では上記のように入力部から分析データ使用要求が入力されるとＣＰＵ２（認証キー照合手段）が一分析データ毎にそれが使用可能かどうかを照合するようにしてもよいし、入力部から分析データ使用要求が入力されると、一度に複数の（例えば表示部に一覧表示されている全ての）分析データを対象として、それらの分析データの各々が使用可能かどうかを照合するようにしてもよい。また、ＣＰＵ２（認証キー照合手段）はユーザによって入力部から分析データ使用要求が入力されることを待つことなく、予め定められたタイミングで（例えばキー読出認証が完了すると）キー格納手段９から認証キーを読み取り、一又は複数の分析データが使用可能かどうかを照合するようにしてもよい。
【実施例２】
【００３４】
本発明に係る分析データ管理システムが複数のユーザによって使用される場合、分析データに関する一部の情報のみしか見ることができないユーザや、分析データに関するレポートしか見ることができないユーザ、また、ユーザは分析データやそのレポートに対して承認処理を行うことが出来るユーザ、というように、ユーザの立場に応じて分析データの使用権限を変化させたい場合がある。
このような利用形態に対応するための本発明の他の実施形態について、以下、実施例２として説明する。実施例２の基本的構成は特に言及しない限り上記実施例１において説明したものと同一である。
【００３５】
本実施例の動作概念図を図５に示す。本実施例においては、記憶部６の一部などに権限定義部１０を設ける。権限定義部１０は各クライアントに設けることもできるし、データベースサーバＤＳにのみ、各クライアントからアクセス可能なように設けておくこともできる。
【００３６】
権限定義部１０には認証キーの各々に関し、分析データに対する権限が対応付けられて記憶されている。すなわち、本実施例では認証キーが権限を決定するＩＤの役割を果たす。
例えば権限定義部には「利用者」としてのアクセス権を有する認証キーでは分析データの閲覧しか行うことができない旨を記載し、「管理者」としてのアクセス権を有する認証キーでは分析データの閲覧が可能であることに加えて（利用者の権限が与えられた認証キーでは利用できない機能である）分析データに対する修正や補正を行うことができる旨を記載しておく。
【００３７】
本実施例では、あるユーザの分析データに対する権限を決定するために、ユーザ毎に設けられるキー格納手段に、そのユーザの権限に対応する認証キーを予め埋め込んでおく。なお、セキュリティの観点から、当然、通常のユーザは認証キーの埋め込みや変更を行えないように構成しておく必要がある。
【００３８】
以下、フローチャートである図６を参照しつつ、あるユーザがコンピュータＰＣ−１を用いてデータベースサーバＤＳに保存されている分析データを使用しようとした場合に、ＣＰＵ２が本実施例に係る分析データ管理プログラム７を実行することによって行われる処理について説明する。本実施例でもまた、キー格納手段９としてコンピュータＰＣ−１のＵＳＢポートを介してシステムと接続可能なドングルが使用されるものとする。
【００３９】
本実施例でのプログラムフローのステップＳ２１〜Ｓ２５は、上記実施例１におけるステップＳ１１〜Ｓ１５と同一であるため、ここではステップＳ２６以降の処理についてのみ説明する。
ドングルから読み出した認証キーと、分析データから読み出したロックキーとが相応する場合（ステップＳ２５のYes）、ＣＰＵ２（認証キー照合手段）は権限定義部１０にアクセスし、ステップＳ２３で既に読み出した認証キーに対応する権限を読み出す（ステップＳ２６）。
【００４０】
ＣＰＵ２は入力部５から入力された分析データ使用要求に含まれる分析データに対し、上記ステップＳ２６で読み出した権限の範囲内で使用許可を与える（ステップＳ２７）。これによって、ユーザはドングルに埋め込まれた認証キーに応じた権限の範囲内で分析データを使用することが可能となる（図５参照）。
【００４１】
以上、本発明に係る分析データ管理システムについて例を挙げつつ説明を行ったが、叙述した実施形態は単に一例に過ぎず、本発明の精神内で適宜に変形、改良、修正を行えることは言うまでもない。
【００４２】
例えば、本発明に係る分析データ管理システムが認証キーに相応する所定のロックキーによって分析データをロックする分析データロック手段を更に備えた構成とすることもできる（図７参照）。これにより、分析装置から出力されたデータや新たに作成されたメソッド等のデータ（すなわち分析データ）に対して自動的に、若しくは入力部を介してユーザからの所定の命令が発行された時点で、分析データをロックすることができる。データ漏洩の危険性をなるべく低くするためには、分析データがデータベースサーバＤＳに登録された時点で、又はそれ以前の段階でロックキーによって分析データをロックすることが望ましい。
【００４３】
なお、上記実施例ではサーバ／クライアント型のネットワーク型システムを例に挙げて説明したが、スタンドアロン型や、サーバを用意しないファイル共有分散型のシステムにも本発明は適用可能である。
【図面の簡単な説明】
【００４４】
【図１】本発明に係る分析データ管理システムを含む、ネットワークを利用した分析システムの一例を示す全体構成図。
【図２】実施形態の分析データ管理システムの機能的構成を示すブロック図。
【図３】(a)ドングル非接続の場合、(b)ドングルの認証キーと分析データのロックキーが非相応の場合、(c)認証キーとロックキーが相応の場合、の本発明に係る分析データ管理システムの動作概念を表す図。
【図４】分析データ管理プログラムのフローチャート。
【図５】本発明に係る分析データ管理システムの他の構成の動作概念図。
【図６】分析データ管理プログラムのフローチャート。
【図７】分析データロック手段の動作概念図。
【符号の説明】
【００４５】
１…分析システム
２…ＣＰＵ
３…メモリ
４…表示部
５…入力部
６…記憶部
７…分析データ管理プログラム
８…ＯＳ
９…ドングル
１０…権限定義部
Ａ−１〜Ａ−４…分析装置
ＡＳ−１〜ＡＳ−４…分析制御サーバ
ＳＳ…システム制御サーバ
ＤＳ…データベースサーバ
ＰＣ−１〜ＰＣ−３…コンピュータ
【図１】
2008140091.tif 000003
【図２】
2008140091.tif 000004
【図３】
2008140091.tif 000005
【図４】
2008140091.tif 000006
【図５】
2008140091.tif 000007
【図６】
2008140091.tif 000008
【図７】
2008140091.tif 000009